(57)【特許請求の範囲】
【請求項１】
互いに沿う方向に延びる上下の各縁部を備えた略矩形状の窓部を有する枠状に形成されて鉛直方向に支持された支持板と、上記窓部の下側の縁部に沿って略水平方向に配向されたレール部材と、上記レール部材に対して支持溝により摺動可能に支持されつつ溝部によって上記窓部の上側の縁部をくわえ込むことによる二点支持によって直線移動可能であるとともに所定の記録媒体に対して読み取り光を照射しつつ反射光に基づいて読み取り信号を送出するピックアップと、上記ピックアップを上記レール部材に沿って前後動させる駆動機構とを具備し、
上記溝部が、上記鉛直方向で上向きに開放されて上側の上記縁部の厚みに対して幅広に形成された凹型溝によって形成され、かつ、上記支持溝が上記支持板の厚み方向で開放されていて、上記凹型溝に上側の上記縁部を挿入しつつ、上記レール部材に上記支持溝を上記支持板の厚み方向からくわえ込ませることで上記ピックアップが二点支持によって直線移動可能とされているとともに、
リング部を備えたスペーサの上記リング部を上記凹型溝の片側の側壁に装着することによりその側壁の内側で上記リング部を上側の上記縁部に対向させ、上記リング部から延設したバネ部の球面に形成した自由端を上側の上記縁部から離れた位置で上記支持板に接しさせてそのバネ部による付勢により上記凹型溝の他側の側壁と上側の上記縁部とを密着させてピックアップのがたつきを防止してあることを特徴とするピックアップユニット。
【発明の詳細な説明】
【０００１】
【発明の属する技術分野】
本発明は、ピックアップを移動させつつ記録媒体にアクセスするピックアップユニットに関する。
【０００２】
【従来の技術】
従来、ビデオＣＤチェンジャに適用されたピックアップユニットは、矩形窓枠を有するとともに鉛直方向に支持されたＰＵシャーシと、同矩形窓枠に沿って水平に支持されたレール部材と、同レール部材に対して摺動可能に支持されつつ凹型溝によって同矩形窓枠の縁部をくわえ込んで支持されて直線移動可能であるとともに所定の記録媒体に対して読み取り光を照射しつつ反射光に基づいて読み取り信号を送出するピックアップと、同凹型溝に対して装着されて同矩形窓枠の縁部との間隙を調整するＰＵスペーサとを備えている。なお、ＰＵシャーシには、ステッピングモータにより回転駆動可能に支持されたフィードギヤが備えられ、ピックアップに配設されたラックギヤと噛合している。
【０００３】
かかる構成により、ステッピングモータが回転すると、フィードギヤ及びラックギヤを介して、鉛直方向に支持されたＰＵシャーシに形成される矩形窓枠に沿って水平に支持されたレール部材に対して摺動可能に支持されつつ凹型溝によって同矩形窓枠の縁部をくわえ込んで支持されたピックアップを前後動させる。すると、同ピックアップは、所定の記録媒体に対して読み取り光を照射しつつ反射光に基づいて読み取り信号を送出する。
【０００４】
このとき、上記凹型溝は、上記矩形窓枠の縁部の厚みに対して幅広に形成されているため、ＰＵスペーサを同凹型溝に装着することで同矩形窓枠の縁部と凹型溝との間の距離を調整してピックアップのがたつきを防止している。
【０００５】
【発明が解決しようとする課題】
上述した従来のピックアップユニットにおいては、上記ＰＵスペーサを上記凹型溝に装着させたとき、ＰＵシャーシとＰＵスペーサとの間に約０．２ｍｍの隙間が生じていたが、このＰＵスペーサを製造する際の寸法誤差等を考慮するとこれ以上隙間を小さくすることもできず、十分にピックアップのがたつきを防止することができなかった。このため、振動等の力が加わると上記隙間のためにピックアップががたつき、アクセス時の音声とびや画像とびが発生していた。
【０００６】
本発明は、上記課題にかんがみてなされたもので、アクセス時の音声とびや画像とびを防止可能なピックアップユニットの提供を目的とする。
【０００７】
【課題を解決するための手段】
上記目的を達成するため、請求項１にかかる発明は、互いに沿う方向に延びる上下の各縁部を備えた略矩形状の窓部を有する枠状に形成されて鉛直方向に支持された支持板と、上記窓部の下側の縁部に沿って略水平方向に配向されたレール部材と、上記レール部材に対して支持溝により摺動可能に支持されつつ溝部によって上記窓部の上側の縁部をくわえ込むことによる二点支持によって直線移動可能であるとともに所定の記録媒体に対して読み取り光を照射しつつ反射光に基づいて読み取り信号を送出するピックアップと、上記ピックアップを上記レール部材に沿って前後動させる駆動機構とを具備し、上記溝部が、上記鉛直方向で上向きに開放されて上側の上記縁部の厚みに対して幅広に形成された凹型溝によって形成され、かつ、上記支持溝が上記支持板の厚み方向で開放されていて、上記凹型溝に上側の上記縁部を挿入しつつ、上記レール部材に上記支持溝を上記支持板の厚み方向からくわえ込ませることで上記ピックアップが二点支持によって直線移動可能とされているとともに、リング部を備えたスペーサの上記リング部を上記凹型溝の片側の側壁に装着することによりその側壁の内側で上記リング部を上側の上記縁部に対向させ、上記リング部から延設したバネ部の球面に形成した自由端を上側の上記縁部から離れた位置で上記支持板に接しさせてそのバネ部による付勢により上記凹型溝の他側の側壁と上側の上記縁部とを密着させてピックアップのがたつきを防止してある。
【０００８】
上記のように構成した請求項１にかかる発明においては、駆動機構は、鉛直方向に支持された支持板に形成される略矩形状の窓部に沿って略水平方向に配向されたレール部材に対して摺動可能に支持されつつ溝部によって同窓部の縁部をくわえ込むことによる二点支持させるピックアップを前後動させる。すると、同ピックアップは、所定の記録媒体に対して読み取り光を照射しつつ反射光に基づいて読み取り信号を送出する。
【０００９】
このとき、スペーサは、上記溝部に対して装着されて上記窓部の縁部との間隙を調整する。
【００１０】
ここでいう記録媒体は、本発明がピックアップユニットの構成において特徴を有するものであるとの観点から、ピックアップによりアクセス可能なものであれば良く、ビデオＣＤや音楽ＣＤであっても良いし、ＭＤやＬＤ等であっても良い。
【００１１】
上記支持板は、略矩形状の窓部を有する枠状に形成されて鉛直方向に支持されたものであれば良い。この構成の支持板は、それが鉛直方向に支持されているために、略矩形状の窓部が互いに沿う方向に延びる上下の各縁部を備えている。
【００１２】
上記レール部材は、下側の上記窓部に沿って略水平方向に配向されたものであれば良い。
【００１３】
上記ピックアップは、上記レール部材に対して摺動可能に支持されつつ溝部によって上側の上記窓部の縁部をくわえ込むことによる二点支持によって直線移動可能であるとともに所定の記録媒体に対して読み取り光を照射しつつ反射光に基づいて読み取り信号を送出することの可能な構成であれば良い。
【００１４】
上記駆動機構は、上記ピックアップを上記レール部材に沿って前後動させることが可能な構成であれば良く、ギヤ機構を介してステッピングモータに接続されたラックギヤで構成されるものであっても良いし、ワイヤやベルトを介してステッピングモータに連結されたもの等であっても良い。
【００１５】
【発明の効果】
以上説明したように本発明は、アクセス時の音声とびや画像とびを防止可能なピックアップユニットを提供することができる。
【００１６】
【発明の実施の形態】
以下、図面にもとづいて本発明の実施形態を説明する。図１は本発明の一実施形態にかかるビデオＣＤチェンジャの主要構成を透視斜視図により示している。なお、説明の便宜上、図１において左下方を前側と呼ぶとともに右下方を右側と呼ぶことにする。
【００１７】
ビデオＣＤチェンジャ１０は、シャーシ２０とカバー３０とからなる筺体状に形成されており、シャーシ２０上の前方側には複数枚のビデオＣＤあるいは音楽ＣＤ（以下、単にＣＤと呼ぶ）を並べて立てておくための収容ラック４０が固定されるとともに、後方側にはこのビデオＣＤのいずれかを取り出して再生するチャッカ５０が左右方向に移動可能に支持されている。
【００１８】
収容ラック４０は、上下方向に開口する５１箇所のスリット４１を備え、５０枚と１枚の合計５１枚のＣＤを立てつつ左右方向に並べて保持している。
【００１９】
チャッカ５０は、図１及び図２に示すように、鉛直方向に立てて配置されて互いに沿う方向に延びる上下の各縁部を備えた略矩形状の窓部を形成している開口を有するＰＵシャーシ５１と、ＰＵシャーシ５１の前方側に配置されたＣＤ保持ユニット５２と、この開口にて前後動可能に支持されるピックアップ５３とを備え、利用者からの操作指示に基づいて収容ラック４０から取り出されたＣＤをＣＤ保持ユニット５２に保持し、ピックアップ５３を前後に移動させつつ同ＣＤにアクセスする。
【００２０】
ＰＵシャーシ５１は、シャーシ２０上にて左右方向に平行に並設されたレール２１，２１と摺動可能に連結され、左右方向に移動可能となっている。また、シャーシ２０には噛合ラック２２が固定されるとともに、ＰＵシャーシには同噛合ラック２２に対して噛合する駆動歯車をギア機構を介して回転駆動させる図示しないステッピングモータが備えられており、図示しないマイコンで同ステッピングモータを所定角度だけ回転させることにより、ＰＵシャーシ５１をレール２１，２１上の任意の位置にスライド移動可能としている。従って、開口を有するとともに鉛直に立てつつ配置されたＰＵシャーシ５１は、この意味で、本発明でいう支持板を構成している。
【００２１】
ＣＤ保持ユニット５２は、収容ラック４０からＣＤを取り出すアーム機構、このＣＤをＰＵシャーシとの間に挟み込んで保持するフリッパ及び同ＣＤを所定速度で回転させるスピンドルモータ等を備え、選択されたＣＤを保持してアクセス可能な状態にする。
【００２２】
ピックアップ５３は、上記開口に沿って前後へ移動可能に支持された箱体で構成され、ＣＤ保持ユニット５２に保持されたＣＤとの対面位置を変更しつつ読取光を照射し、得られた反射光に基づいて読み取り信号を送出している。
【００２３】
このピックアップ５３は、図３に示すように、上記鉛直方向で上向きに開放された凹型溝５３ａと、上記ＰＵシャーシ５１の厚み方向で開放された支持溝５３ｂと備え、凹型溝５３ａにＰＵシャーシ５１の開口縁部５１ａを挿入しつつ、ＰＵシャーシ５１の開口下部に配設されたレール部材５１ｂに支持溝５３ｂを右側（支持板としての上記ＰＵシャーシ５１の厚み方向）からくわえ込ませることで前後へ移動可能に支持される。
【００２４】
上記凹型溝５３ａは、図４に示すように、開口縁部５１ａの厚みに対して幅広に形成されているため、同開口縁部５１ａと凹型溝５３ａとの間に隙間が生じてしまう。そこで、ピックアップ５３を上述したように前後へ移動させるときに支障とならない程度にこの隙間の幅を狭めるため、図５に示すように、凹型溝５３ａの左側壁を挿通可能なリング部５４ａを備えたＰＵスペーサ５４を同凹型溝５３ａに装着させている。しかし、ＰＵスペーサ５４の製造工程における寸法誤差等から同隙間の幅を調整する際には限界があり、このリング部５４ａだけでは厳密に隙間を排除してピックアップ５３のがたつきを防止することはできない。
【００２５】
そこで、本実施形態にかかるＰＵスペーサ５４には、同図に示すように、リング部５４ａの一側端から延設されたバネ部５４ｂが形成されている。かかる構成からなるバネ部５４ｂは、左側からＰＵシャーシ５１を付勢するため、図６に示すように、ＰＵシャーシ５１をバネ部５４ｂにより付勢して上側の開口縁部５１ａと凹型溝５３ａとの間を密着可能とし、同開口縁部５１ａと凹型溝５３ａとの間に少々の隙間が生じる場合でもピックアップ５３のがたつきを防止することが可能となる。
【００２６】
なお、このバネ部５４ｂの自由端は球面に形成されており、球面上の一点でＰＵシャーシ５１を付勢している。このため、ＰＵシャーシ５１とＰＵスペーサ５４との間で接する部位が最小限で済み、ピックアップ５３の駆動時にすり減りにくくなるため、ＰＵスペーサ５４の耐久性が向上する。
【００２７】
このように、左側からＰＵシャーシ５１をバネ部５４ｂにより付勢させつつ凹型溝５３ａの左側壁にリング部５４ａを挿通させてこの隙間の幅を調整するＰＵスペーサ５４は、この意味で、本発明でいうスペーサを構成している。
【００２８】
また、ピックアップ５３の下端には、前後方向へ進退可能にラックギヤ５５が配設され、同ラックギヤ５５に噛合させつつＰＵシャーシ５１の右壁面にフィードギヤ５６が回転可能に支持されている。このフィードギヤ５６は、ギヤ機構を介してステッピングモータ５７に連結され、図示しないマイコンからの指示に基づいてステッピングモータ５７を駆動させると、フィードギヤ５６は回転し、ラックギヤ５５を介してピックアップ５３が前後に駆動される。上記ラックギヤ５５、フィードギヤ５６及びステッピングモータ５７等は、この意味で、本発明でいう駆動機構を構成している。
【００２９】
次に、本実施形態にかかるビデオＣＤチェンジャの動作を説明する。利用者が図示しない操作パネルにて所望のＣＤを選択して再生させるとき、上記マイコンがステッピングモータを所定角度だけ回転させると、ギア機構を介して駆動歯車が回転駆動し、ＰＵシャーシ５１は同ＣＤとの対面位置までレール２１，２１上をスライド移動する。
【００３０】
そして、上記アーム機構が収容ラック４０からＣＤを取り出し、フリッパにてこのＣＤをＰＵシャーシ５１との間に挟み込んで保持すると、上記スピンドルモータは同ＣＤを所定速度で回転させる。
【００３１】
上記マイコンがステッピングモータ５７を回転駆動させると、フィードギヤ５６が回転するため、同フィードギヤ５６に噛合するラックギヤ５５が前後動する。すると、ピックアップ５３は、ＰＵシャーシ５１の開口縁部５１ａに沿って凹型溝５３ａをスライドさせつつ、レール部材５１ｂに沿って支持溝５３ｂをスライドさせて前後動する。
【００３２】
ピックアップ５３に備えられた光ピックアップは、上記マイコンからの指示に基づいて位置を調整しながら所定速度で回転する上記ＣＤにアクセスして記録された情報を読み出す。
【００３３】
このとき、上記ピックアップ５３の凹型溝５３ａに装着されたＰＵスペーサ５４がＰＵシャーシ５１を付勢して開口縁部５１ａとＰＵシャーシ５１との間を密着させ、ピックアップ５３のがたつきを防止する。
【００３４】
このように、ピックアップ５３の凹型溝５３ａに装着されたＰＵスペーサ５４がＰＵシャーシ５１を付勢して同ピックアップ５３のがたつきを防止するため、ＣＤ保持ユニット５２に保持されたビデオＣＤにアクセスするときの音声とびや画像とびを防止することが可能となる。
【図面の簡単な説明】
【図１】  本実施形態にかかるビデオＣＤチェンジャの主要構成を示す透視斜視図である。
【図２】  チャッカの主要構成を示す正面図である。
【図３】  チャッカの主要構成を示す側面図である。
【図４】  凹型溝に開口縁部を挿入した状況を示す模式図である。
【図５】  ＰＵスペーサの構成を示す斜視図である。
【図６】  ＰＵスペーサを凹型溝に装着した際の模式図である。
【符号の説明】
１０…ビデオＣＤチェンジャ
５０…チャッカ
５１…ＰＵシャーシ
５１ａ…開口縁部
５１ｂ…レール部材
５３…ピックアップ
５３ａ…凹型溝
５３ｂ…支持溝
５４…ＰＵスペーサ
５４ａ…リング部
５４ｂ…バネ部
【図１】
0003800377.tif 000002
【図２】
0003800377.tif 000003
【図３】
0003800377.tif 000004
【図４】
0003800377.tif 000005
【図５】
0003800377.tif 000006
【図６】
0003800377.tif 000007